(57)【要約】【課題】印刷物の機密性を確保しつつ全ての排紙スタッカーが使用不可となることを効果的に防止する。【解決手段】ＭＦＰ２は、第１の印刷ジョブに基づく印刷物をロック可能な排紙スタッカー２２６に出力し、第１の印刷ジョブ及び第２の印刷ジョブをそれぞれ構成するＰＤＬデータどうしが同一であるかどうかを判定し（Ｓ１１６）、ＰＤＬデータどうしが同一である場合に、第２の印刷ジョブに基づく印刷物をロック可能な排紙スタッカー２２６にさらに出力する（Ｓ１２０）。【選択図】図１１
2014000695.tif 000002
【特許請求の範囲】
【請求項１】
ロック可能な排紙スタッカーを備えた画像形成装置であって、
第１の印刷ジョブ及び第２の印刷ジョブに基づく印刷物をそれぞれ出力する印刷部と、
前記第１の印刷ジョブ及び前記第２の印刷ジョブをそれぞれ構成するＰＤＬデータどうしが同一であるかどうかを判定する判定部と、
前記第１の印刷ジョブに基づく印刷物が前記排紙スタッカーに出力され、かつ、前記ＰＤＬデータどうしが同一であると判定された場合に前記第２の印刷ジョブに基づく印刷物が前記排紙スタッカーにさらに出力されるように、前記印刷部の出力先を選択する選択部と、を有する画像形成装置。
【請求項２】
前記ＰＤＬデータには、画像情報及び印刷設定情報が含まれており、
前記判定部は、前記ＰＤＬデータの画像情報が互いに一致する場合に、前記ＰＤＬデータどうしが同一であると判定することを特徴とする請求項１に記載の画像形成装置。
【請求項３】
前記判定部は、前記ＰＤＬデータの印刷設定情報の少なくとも一部が互いに一致する場合に、前記ＰＤＬデータどうしが同一であると判定することを特徴とする請求項２に記載の画像形成装置。
【請求項４】
前記印刷設定情報には、印刷物の後処理設定に関する情報、及び印刷物のレイアウト設定に関する情報の少なくとも一方が含まれることを特徴とする請求項１〜３のいずれか１つに記載の画像形成装置。
【請求項５】
前記判定部は、巡回冗長検査、又はハッシュ値を用いた検査を行うことにより、前記ＰＤＬデータどうしが同一であるかどうかを判定することを特徴とする請求項１〜４のいずれか１つに記載の画像形成装置。
【請求項６】
前記印刷部は、前記第１の印刷ジョブと同一のホスト装置から送信された第３の印刷ジョブに基づく印刷物をさらに出力し、
前記選択部は、前記第３の印刷ジョブに基づく印刷物が前記排紙スタッカーにさらに出力されるように、前記印刷部の出力先を選択することを特徴とする請求項１〜５のいずれか１つに記載の画像形成装置。
【請求項７】
前記第３の印刷ジョブに基づく印刷物が前記排紙スタッカーにさらに出力される場合に、前記第２の印刷ジョブをキャンセルすることを特徴とする請求項６に記載の画像形成装置。
【請求項８】
ロック可能な排紙スタッカーを備えた画像形成装置の制御プログラムであって、
第１の印刷ジョブを受信する手順（Ａ）と、
前記第１の印刷ジョブに基づく印刷物を前記排紙スタッカーに出力する手順（Ｂ）と、
第２の印刷ジョブを受信する手順（Ｃ）と、
前記第１の印刷ジョブ及び前記第２の印刷ジョブをそれぞれ構成するＰＤＬデータどうしが同一であるかどうかを判定する手順（Ｄ）と、
前記ＰＤＬデータどうしが同一であると判定された場合に、前記第２の印刷データに基づく印刷物を前記排紙スタッカーにさらに出力する手順（Ｅ）と、を前記画像形成装置に実行させる制御プログラム。
【請求項９】
前記ＰＤＬデータには、画像情報及び印刷設定情報が含まれており、
前記手順（Ｄ）では、前記ＰＤＬデータの画像情報が互いに一致する場合に、前記ＰＤＬデータどうしが同一であると判定することを特徴とする請求項８に記載の制御プログラム。
【請求項１０】
前記手順（Ｄ）では、前記ＰＤＬデータの印刷設定情報の少なくとも一部が互いに一致する場合に、前記ＰＤＬデータどうしが同一であると判定することを特徴とする請求項９に記載の制御プログラム。
【請求項１１】
前記印刷設定情報には、印刷物の後処理設定に関する情報、及び印刷物のレイアウト設定に関する情報の少なくとも一方が含まれることを特徴とする請求項８〜１０のいずれか１つに記載の制御プログラム。
【請求項１２】
前記手順（Ｄ）では、巡回冗長検査、又はハッシュ値を用いた検査を行うことにより、前記ＰＤＬデータどうしが同一であるかどうかを判定することを特徴とする請求項８〜１１のいずれか１つに記載の制御プログラム。
【請求項１３】
前記第１の印刷ジョブと同一のホスト装置から送信された第３の印刷ジョブを受信する手順（Ｆ）と、
前記第３の印刷ジョブに基づく印刷物を前記排紙スタッカーにさらに出力する手順（Ｇ）と、を前記画像形成装置にさらに実行させることを特徴とする請求項８〜１２のいずれか１つに記載の制御プログラム。
【請求項１４】
前記手順（Ｅ）に先立って前記手順（Ｆ）が実行された場合に、前記第２の印刷ジョブをキャンセルする手順（Ｈ）を前記画像形成装置にさらに実行させることを特徴とする請求項１３に記載の制御プログラム。
【請求項１５】
請求項８〜１４のいずれか１つに記載の制御プログラムが記録されたコンピューター読み取り可能な記録媒体。
【発明の詳細な説明】
【技術分野】
【０００１】
本発明は、ロック可能な排紙スタッカーを備えた画像形成装置及びその制御プログラムに関する。
【背景技術】
【０００２】
近年、ネットワーク環境におけるセキュリティ強化の観点から、複数の排紙スタッカー（格納容器）を備えた画像形成装置が注目されている。このような画像形成装置はユーザーごとのＩＤ情報等に従って排紙スタッカーへの排紙動作を制御している。すなわち、同一のユーザーから送信された印刷ジョブを同一の排紙スタッカーに出力することにより印刷物の機密性を確保している。
【０００３】
これに関連して、下記の特許文献１には、より高度な機密性を確保するために、個々の排紙スタッカーに対してパスワードによるロックをかけることができる画像形成装置が提案されている。しかしながら、特許文献１に記載の技術によると、一旦ロックされた排紙スタッカーは、そこから印刷物が取り出されるまで使用不可となってしまう。そのため、１つの画像形成装置が多数のユーザーによって使用される環境下では、全ての排紙スタッカーが使用不可となってしまい、ユーザーにとっての利便性が損なわれてしまう虞があった。
【先行技術文献】
【特許文献】
【０００４】
【特許文献１】特開平８−２７８２号公報
【発明の概要】
【発明が解決しようとする課題】
【０００５】
本発明は、上述した課題に鑑みてなされたものであり、本発明の目的は、印刷物の機密性を確保しつつ全ての排紙スタッカーが使用不可となることを効果的に防止することができる画像形成装置、及び画像形成装置の制御プログラムを提供することである。
【課題を解決するための手段】
【０００６】
本発明の上記目的は、下記の手段によって達成される。
【０００７】
（１）ロック可能な排紙スタッカーを備えた画像形成装置であって、第１の印刷ジョブ及び第２の印刷ジョブに基づく印刷物をそれぞれ出力する印刷部と、前記第１の印刷ジョブ及び前記第２の印刷ジョブをそれぞれ構成するＰＤＬデータどうしが同一であるかどうかを判定する判定部と、前記第１の印刷ジョブに基づく印刷物が前記排紙スタッカーに出力され、かつ、前記ＰＤＬデータどうしが同一であると判定された場合に前記第２の印刷ジョブに基づく印刷物が前記排紙スタッカーにさらに出力されるように、前記印刷部の出力先を選択する選択部と、を有する画像形成装置。
【０００８】
（２）前記ＰＤＬデータには、画像情報及び印刷設定情報が含まれており、前記判定部は、前記ＰＤＬデータの画像情報が互いに一致する場合に、前記ＰＤＬデータどうしが同一であると判定することを特徴とする上記（１）に記載の画像形成装置。
【０００９】
（３）前記判定部は、前記ＰＤＬデータの印刷設定情報の少なくとも一部が互いに一致する場合に、前記ＰＤＬデータどうしが同一であると判定することを特徴とする上記（２）に記載の画像形成装置。
【００１０】
（４）前記印刷設定情報には、印刷物の後処理設定に関する情報、及び印刷物のレイアウト設定に関する情報の少なくとも一方が含まれることを特徴とする上記（１）〜（３）のいずれか１つに記載の画像形成装置。
【００１１】
（５）前記判定部は、巡回冗長検査、又はハッシュ値を用いた検査を行うことにより、前記ＰＤＬデータどうしが同一であるかどうかを判定することを特徴とする上記（１）〜（４）のいずれか１つに記載の画像形成装置。
【００１２】
（６）前記印刷部は、前記第１の印刷ジョブと同一のホスト装置から送信された第３の印刷ジョブに基づく印刷物をさらに出力し、前記選択部は、前記第３の印刷ジョブに基づく印刷物が前記排紙スタッカーにさらに出力されるように、前記印刷部の出力先を選択することを特徴とする上記（１）〜（５）のいずれか１つに記載の画像形成装置。
【００１３】
（７）前記第３の印刷ジョブに基づく印刷物が前記排紙スタッカーにさらに出力される場合に、前記第２の印刷ジョブをキャンセルすることを特徴とする上記（６）に記載の画像形成装置。
【００１４】
（８）ロック可能な排紙スタッカーを備えた画像形成装置の制御プログラムであって、
第１の印刷ジョブを受信する手順（Ａ）と、前記第１の印刷ジョブに基づく印刷物を前記排紙スタッカーに出力する手順（Ｂ）と、第２の印刷ジョブを受信する手順（Ｃ）と、前記第１の印刷ジョブ及び前記第２の印刷ジョブをそれぞれ構成するＰＤＬデータどうしが同一であるかどうかを判定する手順（Ｄ）と、前記ＰＤＬデータどうしが同一であると判定された場合に、前記第２の印刷データに基づく印刷物を前記排紙スタッカーにさらに出力する手順（Ｅ）と、を前記画像形成装置に実行させる制御プログラム。
【００１５】
（９）前記ＰＤＬデータには、画像情報及び印刷設定情報が含まれており、前記手順（Ｄ）では、前記ＰＤＬデータの画像情報が互いに一致する場合に、前記ＰＤＬデータどうしが同一であると判定することを特徴とする上記（８）に記載の制御プログラム。
【００１６】
（１０）前記手順（Ｄ）では、前記ＰＤＬデータの印刷設定情報の少なくとも一部が互いに一致する場合に、前記ＰＤＬデータどうしが同一であると判定することを特徴とする上記（９）に記載の制御プログラム。
【００１７】
（１１）前記印刷設定情報には、印刷物の後処理設定に関する情報、及び印刷物のレイアウト設定に関する情報の少なくとも一方が含まれることを特徴とする上記（８）〜（１１０）のいずれか１つに記載の制御プログラム。
【００１８】
（１２）前記手順（Ｄ）では、巡回冗長検査、又はハッシュ値を用いた検査を行うことにより、前記ＰＤＬデータどうしが同一であるかどうかを判定することを特徴とする上記（８）〜（１１）のいずれか１つに記載の制御プログラム。
【００１９】
（１３）前記第１の印刷ジョブと同一のホスト装置から送信された第３の印刷ジョブを受信する手順（Ｆ）と、前記第３の印刷ジョブに基づく印刷物を前記排紙スタッカーにさらに出力する手順（Ｇ）と、を前記画像形成装置にさらに実行させることを特徴とする上記（８）〜（１２）のいずれか１つに記載の制御プログラム。
【００２０】
（１４）前記手順（Ｅ）に先立って前記手順（Ｆ）が実行された場合に、前記第２の印刷ジョブをキャンセルする手順（Ｈ）を前記画像形成装置にさらに実行させることを特徴とする上記（１３）に記載の制御プログラム。
【００２１】
（１５）上記（８）〜（１４）のいずれか１つに記載の制御プログラムが記録されたコンピューター読み取り可能な記録媒体。
【発明の効果】
【００２２】
本発明によると、第１の印刷ジョブ及び第２の印刷ジョブをそれぞれ構成するＰＤＬデータが互いに同一である場合には、第１の印刷ジョブに基づく印刷物の出力先として選択された排紙スタッカーが第２の印刷ジョブに基づく印刷物の出力先としてさらに選択されることになる。よって、本発明によると、印刷ジョブに基づき生成される印刷物の機密性を確保しつつ全ての排紙スタッカーが使用不可となってしまうことを効果的に防止することができる。
【図面の簡単な説明】
【００２３】
【図１】本発明の一実施形態に係る画像形成システムの構成を示すブロック図である。
【図２】本発明の一実施形態に係るＰＣの構成を示すブロック図である。
【図３】本発明の一実施形態に係るプリンターユニットの構成を示すブロック図である。
【図４】本発明の一実施形態に係るメールボックスの構成を示すブロック図である。
【図５】本発明の一実施形態に係る排紙スタッカーの構造を示す斜視図である。
【図６】本発明の一実施形態に係るＰＤＬデータのソースコードを示す概略図である。
【図７】本発明の一実施形態に係るＰＤＬデータの構成を示す概略図である。
【図８】本発明の一実施形態に係る排紙スタッカー管理データを示す概略図である。
【図９】本発明の一実施形態に係る装置間の信号のやり取りを示すシーケンスチャートである。
【図１０】本発明の一実施形態に係るジョブ出力処理の手順を示すフローチャートである。
【図１１】本発明の一実施形態に係るジョブ出力処理の手順（図１０の続き）を示すフローチャートである。
【図１２】本発明の一実施形態に係るパスワード通知画面を示す概略図である。
【図１３】本発明の一実施形態に係るパスワード設定画面を示す概略図である。
【図１４】本発明の一実施形態に係るパスワード入力画面を示す概略図である。
【図１５】本発明の他の実施形態に係るジョブ出力処理の手順を示すフローチャートである。
【図１６】本発明の他の実施形態に係るジョブ出力処理の手順（図１５の続き）を示すフローチャートである。
【図１７】本発明の他の実施形態に係るジョブ出力処理の手順（図１６の続き）を示すフローチャートである。
【図１８】本発明の他の実施形態に係るジョブリストを示す概略図である。
【発明を実施するための形態】
【００２４】
以下、図面を参照して、本発明の実施形態を詳細に説明する。
【００２５】
先ず、本発明の第１の実施形態について説明する。図１は、本実施形態に係る画像形成装置を含む画像形成システムＳの全体構成を示すブロック図である。図１のように、画像形成システムＳは、ホスト装置としてのＰＣ１、及び画像形成装置としてのＭＦＰ２を備えており、これらはＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）等の通信ネットワークＮを介して接続されている。なお、通信ネットワークＮに接続される機器の種類及び台数は図中の例に限定されない。
【００２６】
ＰＣ１は、ユーザーが所望する文書ファイル等の印刷ジョブを生成し、その印刷ジョブを画像形成装置に送信するホスト装置の機能を有する。また、ＭＦＰ２は、ホスト装置から受信した印刷ジョブを実行する画像形成装置の機能を有し、印刷ジョブに基づく印刷処理を実行するプリンターユニット２１及びプリンターユニット２１により生成された印刷物を格納するメールボックス２２を備えている。
【００２７】
ここで、本実施形態に係る印刷ジョブは、一般的なＰＤＬ（Ｐａｇｅ  Ｄｅｓｃｒｉｐｔｉｏｎ  Ｌａｎｇｕａｇｅ）データにより構成されている。図６は、本実施形態に係るＰＤＬデータのソースコードの一例を示す概略図である。また、図７は、本実施形態に係るＰＤＬデータの構成を示す概略図である。図７のように、ＰＤＬデータは、文書ファイル等の印刷画像を表す描画データ（画像情報）に加えて、各種印刷設定に関する情報（印刷設定情報）を含む。
【００２８】
ここでいう印刷設定には、パンチやステープル等の後処理に関する設定（「後処理設定」）、両面／片面や集約等のレイアウトに関する設定（「レイアウト設定」）に加えて、印刷ジョブに基づき生成される印刷物の出力先に関する設定（「出力先設定」）が含まれる。なお、本実施形態における印刷物の出力先とは、後述する複数の排紙スタッカー２２６のいずれかを指している。
【００２９】
続いて、各装置の構成について説明するが、各装置は後述する構成要素以外の構成要素を含む場合もあり、また、後述する構成要素の一部を含まない場合もある。なお、各装置の構成要素のうち同様の機能を有するものについては、説明の重複を避けるために初回のみ説明を付し、２回目以降は説明を省略する。
【００３０】
図２は、本実施形態に係るＰＣ１の構成を示すブロック図である。図２のように、ＰＣ１は、ＣＰＵ（Ｃｅｎｔｒａｌ  Ｐｒｏｃｅｓｓｉｎｇ  Ｕｎｉｔ）１１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、ＨＤＤ（Ｈａｒｄ  Ｄｉｓｋ  Ｄｒｉｖｅ）１４、ディスプレイ１５、入力装置１６、及びネットワークインターフェース１７を備えており、これらは信号をやり取りするためのバス１８を介して相互に接続されている。
【００３１】
ＣＰＵ１１は、制御プログラムに従って各部の動作を制御するとともに種々の演算処理を実行する。ＲＯＭ１２は、ＰＣ１の基本動作を制御するための制御プログラムやパラメータ等を格納する。ＲＡＭ１３は、ＣＰＵ１１の作業領域として制御プログラム等を一時的に保持する。ＨＤＤ１４は、ＰＣ１のＯＳ（Ｏｐｅｒａｔｉｎｇ  Ｓｙｓｔｅｍ）や制御プログラム等を格納する。
【００３２】
ディスプレイ１５は、ＬＣＤ（Ｌｉｑｕｉｄ  Ｃｒｙｓｔａｌ  Ｄｉｓｐｌａｙ）やＣＲＴ（Ｃａｔｈｏｄｅ−Ｒａｙ  Ｔｕｂｅ）ディスプレイ等の表示装置であり、ユーザーに種々の情報を表示する。入力装置１６は、キーボードやマウス等であり、ユーザーから種々の操作指示を取得する。ネットワークインターフェース１７は、ネットワークＮを介して他の装置を通信するためのインターフェースであり、イーサネット（登録商標）、トークンリング、ＦＤＤＩ（Ｆｉｂｅｒ  Ｄｉｓｔｒｉｂｕｔｅｄ  Ｄａｔａ  Ｉｎｔｅｒｆａｃｅ）等の規格に準拠している。
【００３３】
図３は、本実施形態に係るプリンターユニット２１の構成を示すブロック図である。図３のように、プリンターユニット２１は、コントローラー２１１、ディスク装置２１２、パネル装置２１３、及びエンジン２１４を備えている。ここで、コントローラー２１１は、プリンターユニット２１及びメールボックス２２の動作を制御するとともにネットワークＮを介してＰＣ１等の外部機器と通信する機能を有する。ディスク装置２１２は、フォントデータやＰＤＬデータ等の印刷処理に関連する種々のデータを格納する。
【００３４】
パネル装置２１３は、オペレーションパネルであり、ユーザーにＭＦＰ２のステータス等に関する種々の情報を表示するとともに、ユーザーから印刷処理に関連する種々の操作指示を取得する。エンジン２１４は、電子写真方式の印刷処理を実行することにより印刷ジョブに基づく印刷物を生成する。ただし、エンジン２１４は、インパクト方式、熱転写方式、インクジェット方式等の他の印刷方式を採用するものであってもよい。
【００３５】
図３のように、本実施形態に係るコントローラー２１１は、ＣＰＵ２１１ａ、ＩＣカード２１１ｂ、ＮＶＲＡＭ（Ｎｏｎ−Ｖｏｌａｔｉｌｅ  ＲＡＭ）２１１ｃ、プログラムＲＯＭ２１１ｄ、フォントＲＯＭ２１１ｅ、ＲＡＭ２１１ｆ、エンジンインターフェース２１１ｇ、パネルインターフェース２１１ｈ、ホストインターフェース２１１ｉ、ディスクインターフェース２１１ｊ、及びメールボックスインターフェース２１１ｋを備えている。なお、図３ではインターフェースのことを単に「Ｉ／Ｆ」と表記している。この点は以下の説明においても同様である。
【００３６】
ＣＰＵ２１１ａは、制御プログラムに従って各部の動作を制御することによりコントローラー２１１の諸機能を実現する。ここでいうコントローラー２１１の諸機能には、ＰＣ１等から新たに受信したＰＤＬデータがディスク装置２１２内のＰＤＬデータと同一であるかどうかを判定する機能や、印刷ジョブに基づき生成される印刷物の出力先を選択する機能や、後述する排紙スタッカー管理データ（図８参照）を生成する機能等が含まれる。
【００３７】
ＩＣカード２１１ｂは、フォントデータや制御プログラム等の各種データをコントローラー２１１に入力するための入力装置である。ＮＶＲＡＭ２１１ｃは、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）やフラッシュメモリ等の不揮発性のメモリであり、例えば、パネル装置２１３を介して取得したＭＦＰ２の操作モードに関するユーザー指示を一時的に保持する。プログラムＲＯＭ２１１ｄは、コントローラー２１１の制御プログラムを格納する。フォントＲＯＭ２１１ｅは、エンジン２１４の印刷処理に用いられるフォントデータを格納する。
【００３８】
ＲＡＭ２１１ｆは、ＣＰＵ２１１ａの作業領域として制御プログラム等を一時的に保持する。また、ＲＡＭ２１１ｆは、コントローラー２１１へのデータ入力バッファー、印刷データのページバッファー、フォントダウンロード用のメモリ領域等を提供する。さらに、ＲＡＭ２１１ｆは、プリンターユニット２１により連続的に処理される印刷ジョブのリストを保持する。このようなリストのことを以下では単に「ジョブリスト」と称する。図１８は、ジョブリストの一例を示す概略図である。
【００３９】
エンジンＩ／Ｆ２１１ｇは、エンジン２１４と通信するためのインターフェースであり、エンジン２１４との間で制御コマンド、ステータス情報、ＰＤＬデータ等をやり取りする。パネルＩ／Ｆ２１１ｈは、パネル装置２１３と通信するためのインターフェースであり、ホストＩ／Ｆ２１１ｉは、ＰＣ１等のホスト装置と通信するためのインターフェースであり、ディスクＩ／Ｆ２１１ｊは、ディスク装置２１２と通信するためのインターフェースであり、メールボックスＩ／Ｆ２１１ｋは、メールボックス２２と通信するためのインターフェースである。
【００４０】
図４は、本実施形態に係るメールボックス２２の構成を示すブロック図である。図４のように、メールボックス２２は、ＲＡＭ２２１、プログラムＲＯＭ２２２、コントローラーＩ／Ｆ２２３、ＣＰＵ２２４、ロック機構コントローラー２２５、及び複数の排紙スタッカー２２６を備えている。ここで、複数の排紙スタッカー２２６は、プリンターユニット２１により生成された印刷物を格納するためのボックス状の容器である。
【００４１】
図５は、本実施形態に係る排紙スタッカー２２６の構造を示す斜視図である。図中（Ａ）は排紙スタッカー２２６全体の構造を示しており、図中（Ｂ）は排紙スタッカー２２６のロック機構２２６ｃのみを抽出して示している。図中（Ａ）のように、複数の排紙スタッカー２２５は、共通のラックＲ内に並べて配置されている。
【００４２】
また、各々の排紙スタッカー２２６の前面には、その内部に通じる開口部２２６ａが設けられており、ユーザーは開口部２２６ａを覆う蓋２２６ｂを手動で開けることにより内部の印刷物を取り出すことができる。そして、各々の給紙スタッカー２２６には、ユーザー認証が完了するまで内部の印刷物が取り出されることのないように蓋２２６ｂをロックするロック機構２２６ｃが設けられている。ユーザー認証は、例えば、ユーザーにより入力されたパスワードとコントローラー２１１等により予め発行されたパスワードとを照合することにより行われる。
【００４３】
再び図４を参照すると、ＲＡＭ２２１は、ＣＰＵ２２４の作業領域を提供するとともに、各々の排紙スタッカー２２６のロック機構２２６ｃの状態や印刷物の有無等に関する情報を一時的に保持する。プログラムＲＯＭ２２２は、メールボックス２２の制御プログラムを格納する。コントローラーＩ／Ｆ２２３は、プリンターユニット２１と通信するためのインターフェースである。例えば、コントローラーＩ／Ｆ２２３を介して、ロック機構２２６ｃの状態や印刷物の有無等に関する情報がプリンターユニット２１に送信され、ロック機構２２６ｃの制御コマンドがロック機構コントローラー２２５に送信される。
【００４４】
ＣＰＵ２２４は、制御プログラムに従ってメールボックス２２の動作を制御する。ロック機構コントローラー２２５は、プリンターユニット２１から送信された制御コマンドに従ってロック機構２２６ｃの動作を制御するとともに、ロック機構２２６ｃの状態や印刷物の有無等に関する情報を取得する。
【００４５】
再び図５を参照すると、図中（Ａ）のように、各々の排紙スタッカー２２６は、前述の開口部２２６ａ、蓋２２６ｂ及びロック機構２２６ｃに加えて、印刷物を内部に格納するための格納部２２６ｄ、格納部２２６ｄに印刷物を１部ずつ挿入するための排紙スリット２２６ｅ、及び格納部２２６ｄ内の印刷物を検出するためのセンサー２２６ｆを備えている。なお、図中（Ａ）の例とは異なり、印刷物を取り出すための開口部２２６ａは排紙スタッカー２２６の上面側に設けられてもよい。その場合、ユーザーは各々の排紙スタッカー２２６をラックＲから手前に引き出すことにより内部の印刷物を取り出すことができる。
【００４６】
図中（Ｂ）のように、ロック機構２２６ｃは、ロック機構コントローラー２２５と電気信号をやり取りするための信号線２２６ｃ１、及びロック機構コントローラー２２５から送信された制御信号に従って一定のストロークでスライドするボルト２２６ｃ２を備えている。各々の排紙スタッカー２２６は、蓋２２６ｂの一側面に設けられた凹部にボルト２２６ｃ２の先端部分が嵌合したときにロックされる。そして、蓋２２６ｂの凹部からボルト２２６ｃ２が引き抜かれたときにロックが解除される。
【００４７】
次に、本実施形態に係る画像形成システムＳの動作の概要について説明する。
【００４８】
図９は、ＰＣ１、プリンターユニット２１、及びメールボックス２２の間の信号のやり取りを示すシーケンスチャートである。
【００４９】
図９のように、ＰＣ１からプリンターユニット２１に印刷ジョブが送信されると、プリンターユニット２１からメールボックス２２に排紙スタッカー２２６の状態問い合わせが送信される。ここでいう状態問い合わせには、各々の排紙スタッカー２２６のロック機構２２６ｃの状態（ロック／解除）や格納部２２６ｄ内の印刷物の有無等に関する問い合わせが含まれる。
【００５０】
続いて、メールボックス２２からプリンターユニット２１に排紙スタッカー２２６の状態情報が送信されると、プリンターユニット２１において印刷物の出力先となる排紙スタッカー２２６が選択される。このようにして選択された排紙スタッカー２２６のことを以下では「選択スタッカー２２６」と称する。そして、プリンターユニット２１からＰＣ１に選択スタッカー２２６のロックを解除するためのパスワードが送信される。
【００５１】
続いて、プリンターユニット２１からメールボックス２２に選択スタッカー２２６のロック命令が送信されると、メールボックス２２により選択スタッカー２２６がロックされる。その後、プリンターユニット２１により印刷ジョブに基づく印刷物が生成され、その印刷物が選択スタッカー２２６に出力される。その後、プリンターユニット２１からＰＣ１に印刷物の出力完了通知が送信される。
【００５２】
続いて、プリンターユニット２１のパネル装置２１３によりユーザーからパスワードが受け付けられ、コントローラー２１２によりユーザーの認証可否が判定される。そして、ユーザー認証に成功した場合に、プリンターユニット２１からメールボックス２２に選択スタッカー２２６のロック解除命令が送信される。このロック解除命令により選択スタッカー２２６のロックが解除されるので、ユーザーは選択スタッカー２２６内の印刷物を取り出すことができる。
【００５３】
図１０〜１１は、本実施形態に係るプリンターユニット２１により印刷ジョブに基づく印刷物を排紙スタッカー２２６に出力する処理の手順を示すフローチャートである。本処理のことを以下では単に「ジョブ出力処理」と称する。図１０〜１１のフローチャートにより示されるアルゴリズムはプログラムＲＯＭ２１１ｄに制御プログラムとして格納されている。
【００５４】
図１０を参照すると、先ず、プリンターユニット２１は、ホストＩ／Ｆ２１１ｉを介してＰＣ１から印刷ジョブを受信する（Ｓ１０１）。ここで、印刷ジョブはＰＣ１上で文書ファイル等を作成しているユーザーがプリンタードライバーに対して印刷指示を行ったときに送信される。Ｓ１０１で受信された印刷ジョブはＲＡＭ２１１ｆに保存される。この印刷ジョブのことを以下では「現在処理中の印刷ジョブ」と称する。
【００５５】
続いて、プリンターユニット２１は、現在処理中の印刷ジョブの「出力先設定」において指定されている排紙スタッカー２２６がロックされているかどうかを判定する（Ｓ１０２）。なお、印刷ジョブにおいて指定されている排紙スタッカーのことを以下では「指定スタッカー」と称する。そして、指定スタッカー２２６がロックされていない場合は（Ｓ１０２のＮＯ）、指定スタッカー２２６に印刷物が格納されているかどうかをさらに判定する（Ｓ１０３）。
【００５６】
他方、指定スタッカー２２６がロックされている場合は（Ｓ１０２のＹＥＳ）、印刷物を出力可能な他の排紙スタッカー２２６が存在するかどうかをさらに判定する（Ｓ１０６）。ここでいう「印刷物を出力可能な他の排紙スタッカー２２６」とは、ロックされておらず、かつ、内部に印刷物が格納されていない他の排紙スタッカー２２６のことを指している。
【００５７】
Ｓ１０３において、指定スタッカー２２６に印刷物が格納されていない場合は（Ｓ１０３のＮＯ）、指定スタッカー２２６を現在処理中の印刷ジョブの出力先として選択する（Ｓ１０４）。これにより、以降の手順では、指定スタッカー２２６が現在処理中の印刷ジョブの「選択スタッカー２２６」として扱われる。その後、プリンターユニット２１は、選択スタッカー２２６をロックしてから（Ｓ１０５）、後述するＳ１０９に進む。他方、指定スタッカー２２６に印刷物が格納されている場合は（Ｓ１０３のＹＥＳ）、前述のＳ１０６に進む。
【００５８】
Ｓ１０６において、印刷物を出力可能な他の排紙スタッカー２２６が存在する場合は（Ｓ１０６のＹＥＳ）、その排紙スタッカー２２６を現在処理中の印刷ジョブの出力先として選択する（Ｓ１０７）。これにより、以降の手順では、その排紙スタッカー２２６が現在処理中の印刷ジョブの「選択スタッカー２２６」として扱われる。その後、プリンターユニット２１は、選択スタッカー２２６をロックしてから（Ｓ１０８）、後述するＳ１０９に進む。他方、印刷物を出力可能な他の排紙スタッカー２２６が存在しない場合は（Ｓ１０６のＮＯ）、後述するＳ１１６に進む（図１１参照）。
【００５９】
Ｓ１０９において、プリンターユニット２１は、選択スタッカー２２６のロックを解除するためのパスワードを発行する。Ｓ１０９において発行されたパスワードは、選択スタッカー２２６に関する種々の管理情報と関連付けて保存される。このようにして保存されるデータのことを以下では「排紙スタッカー管理データ」と称する。図８は、排紙スタッカー管理データの一例を示す概略図である。排紙スタッカー管理データはディスクＩ／Ｆ２１１ｊを介してディスク装置２１２に保存される。
【００６０】
また、Ｓ１０９において発行されたパスワードは、パネル装置２１３上に表示されたパスワード通知画面を通じてユーザーに通知される。図１２は、パスワード通知画面の一例を示す概略図である。なお、プリンターユニット２１は、本例のようにパスワードを発行してユーザーに通知する代わりに、パネル装置上にパスワード設定画面を表示することによりユーザー自身にパスワードを発行させることもできる。図１３は、パスワード設定画面の一例を示す概略図である。
【００６１】
続いて、プリンターユニット２１は、現在処理中の印刷ジョブのＰＤＬデータをディスク装置２１２に保存してから（Ｓ１１０）、現在処理中の印刷ジョブに基づく印刷物を生成する（Ｓ１１１）。より具体的に、コントローラー２１１がプログラムＲＯＭ２１１ｄ内の画像処理プログラムを用いてＰＤＬデータのＲＩＰ（Ｒａｓｔｅｒ  Ｉｍａｇｅ  Ｐｒｏｃｅｓｓｉｎｇ）を実行することによりＲＡＷ画像データを生成し、それをエンジン２１４に送信する。そして、エンジン２１４がＲＡＷ画像データに基づく印刷処理を実行することにより印刷ジョブに基づく印刷物を生成する。この点は後述するＳ１１９においても同様である。
【００６２】
続いて、プリンターユニット２１は、Ｓ１１１において生成した印刷物を選択スタッカー２２６に出力する（Ｓ１１２）。ここで、印刷ジョブにおいてパンチやステープル等の後処理が指定されている場合は、印刷物に対する後処理を実行してから印刷物を選択スタッカー２２６に出力する。その後、プリンターユニット２１は、パネル装置２１３上にパスワード入力画面を表示することにより、ユーザーからパスワードの入力を受け付ける（Ｓ１１３）。図１４は、パスワード入力画面の一例を示す概略図である。
【００６３】
続いて、プリンターユニット２１は、Ｓ１１３で受け付けたパスワードをＳ１０９で発行したパスワードと照合することによりユーザーの認証可否を判定する（Ｓ１１４）。そして、両パスワードが一致した場合、すなわち、ユーザー認証に成功した場合は（Ｓ１１４のＹＥＳ）、選択スタッカー２２６のロックを解除する（Ｓ１１５）。これによりユーザーは選択スタッカー２２６内の印刷物を取り出すことができる。その後、プリンターユニット２１は一連の処理を終了する（エンド）。他方、両パスワードが一致しなかった場合、すなわち、ユーザー認証に失敗した場合は（Ｓ１１４のＮＯ）、前述のＳ１１３に戻り、ユーザーから再度パスワードの入力を受け付ける。
【００６４】
図１１を参照すると、Ｓ１１６において、プリンターユニット２１は、いずれかの排紙スタッカー２２６に現在処理中のＰＤＬデータと同一のＰＤＬデータに基づく印刷物が格納されているかどうかを判定する。より具体的に、プリンターユニット２１は、排紙スタッカー管理データ（図８参照）を参照して、各々の排紙スタッカー２２６と紐付けられたＰＤＬデータをディスク装置２１２から読み出す。そして、読み出したＰＤＬデータと現在処理中のＰＤＬデータとのバイナリ比較を行うことにより、２つのＰＤＬデータの内容が一致するかどうかを判定する。
【００６５】
ここで、２つのＰＤＬデータの同一性の判定には、一般的な巡回冗長検査（ＣＲＣ）による手法や、ＭＤ５やＳＨＡ−１等のハッシュ関数により得られた値どうしを比較する手法等が用いられる。なお、ＰＤＬデータの形式によっては内容の同一性に影響を与えない属性情報（例えば、ジョブ作成日時）が含まれている場合があるが、そのような属性情報はバイナリ比較の対象から除外されることが好ましい。その場合、プリンターユニット２１は、それぞれのＰＤＬデータからジョブ作成日時等に関する情報を除去した後に、上記の手法を用いて同一性の判定を行うことになる。ジョブ作成日時等に関する情報はＰＤＬデータのコマンドから抽出することができる。
【００６６】
また、２つのＰＤＬデータのデータ形式が互いに異なる場合、プリンターユニット２１は、一方のデータ形式をもう一方のデータ形式に変換してからバイナリ比較を行うことが好ましい。それぞれのＰＤＬデータのデータ形式は所定のタグの属性値から判別することができる。図６を参照すると、「＠ＰＪＬ  ＥＮＴＥＲ  ＬＡＮＧＵＡＧＥ」の属性値が「ＰＯＳＴＳＣＲＩＰＴ」とされているので、図中のＰＤＬデータのデータ形式はＰｏｓｔＳｃｒｉｐｔ（登録商標）であることがわかる。
【００６７】
また、本実施形態においては、それぞれのＰＤＬデータの画像情報及び印刷設定情報の双方をバイナリ比較の対象とするが、バイナリ比較の対象とすべきデータの範囲はユーザーが任意に選択することができる。例えば、ユーザーは画像情報及び印刷設定情報の一部（例えば、レイアウト設定に関する部分）のみをバイナリ比較の対象とすることもできるし、画像情報のみをバイナリ比較の対象とすることもできる。
【００６８】
Ｓ１１６において、いずれかの排紙スタッカー２２６に同一のＰＤＬデータに基づく印刷物が格納されている場合（Ｓ１１６のＹＥＳ）、すなわち、現在処理中のＰＤＬデータと同一のＰＤＬデータがディスク装置２１２に保存されている場合は、その同一のＰＤＬデータに基づく印刷物が格納されている排紙スタッカー２２６を現在処理中の印刷ジョブの出力先として選択する（Ｓ１１７）。これにより、以降の手順では、その同一のＰＤＬデータに基づく印刷物が格納されている排紙スタッカー２２６が現在処理中の印刷ジョブの「選択スタッカー２２６」として扱われる。
【００６９】
続いて、プリンターユニット２１は、選択スタッカー２２６のロックを解除するためのパスワードを発行する（Ｓ１１８）。その後、プリンターユニット２１は、現在処理中の印刷ジョブに基づく印刷物を生成し（Ｓ１１９）、それを選択スタッカー２２６に出力してから（Ｓ１２０）、前述のＳ１１３に進む。
【００７０】
他方、どの排紙スタッカー２２６にも同一のＰＤＬデータに基づく印刷物が格納されていない場合は（Ｓ１１６のＮＯ）、印刷ジョブをキャンセルする旨をユーザーに通知するためのエラーメッセージ（不図示）を表示させてから（Ｓ１２１）、一連の処理を終了する（エンド）。このようなエラーメッセージはプリンターユニット２１のパネル装置２１３又はＰＣ１のディスプレイ１５に表示される。
【００７１】
以上のように、本実施形態によると、出力済みの印刷ジョブ（第１の印刷ジョブ）及び現在処理中の印刷ジョブ（第２の印刷ジョブ）をそれぞれ構成するＰＤＬデータが互いに同一である場合は、出力済みの印刷ジョブ（第１の印刷ジョブ）の出力先として選択された排紙スタッカー２２６が現在処理中の印刷ジョブ（第２の印刷ジョブ）の出力先としてさらに選択される。よって、本実施形態によると、印刷ジョブに基づく印刷物の機密性を確保しつつ全ての排紙スタッカー２２６が使用不可となることを効果的に防止することができる。
【００７２】
次に、本発明の第２の実施形態について説明する。本実施形態に係る画像形成システムは前述した第１の実施形態に係る画像形成システムＳと同様の構成を有している。そのため、本実施形態に係る画像形成システム及びその構成要素には前述した第１の実施形態と同様の符号を用いることとする。以下に本実施形態に係る画像形成システムＳの動作の概要について説明する。
【００７３】
図１５〜１７は、本実施形態に係るジョブ出力処理の手順を示すフローチャートである。図１５〜１７のフローチャートにより示されるアルゴリズムはプログラムＲＯＭ２１１ｄに制御プログラムとして格納されている。なお、図１５のＳ２０１〜Ｓ２１５の手順は図１０のＳ１０１〜Ｓ１１５の手順と同様であり、図１７のＳ２２４〜Ｓ２２９の手順は図１１のＳ１１６〜Ｓ１２１の手順と同様である。よって、以下では図１６のＳ２１６〜Ｓ２２３の手順についてのみ説明する。
【００７４】
Ｓ２１６において、プリンターユニット２１は、ＲＡＭ２１１ｆ内のジョブリストを参照し、現在処理中の印刷ジョブと送信先が同一である他の印刷ジョブが存在するかどうかを判定する。そのような他の印刷ジョブのことを以下では「第１の印刷ジョブ」と称する。そして、第１の印刷ジョブが存在する場合は（Ｓ２１６のＹＥＳ）、現在処理中の印刷ジョブの出力先として第１の印刷ジョブの選択スタッカー２２６を選択する（Ｓ２１７）。これにより、以降の手順では、第１の印刷ジョブの選択スタッカー２２６が現在処理中の印刷ジョブの「選択スタッカー２２６」として扱われる。他方、第１の印刷ジョブが存在しない場合は（Ｓ２１６のＮＯ）、Ｓ２２４に進み、いずれかの排紙スタッカー２２６に現在処理中の印刷ジョブのＰＤＬデータと同一のＰＤＬデータに基づく印刷物が格納されているかどうかを判定する（図１７参照）。
【００７５】
その後、プリンターユニット２１は、ＲＡＭ２１１ｆ内のジョブリストを参照し、第１の印刷ジョブとは送信元が異なり、かつ、第１の印刷ジョブと出力先が同一である他の印刷ジョブが存在するかどうかをさらに判定する（Ｓ２１８）。そのような他の印刷ジョブのことを以下では「第２の印刷ジョブ」と称する。そして、第２の印刷ジョブが存在する場合は（Ｓ２１８のＹＥＳ）、第２の印刷ジョブに基づく印刷処理が開始されているかどうかをさらに判定する（Ｓ２１９）。他方、第２の印刷ジョブが存在しない場合は（Ｓ２１８のＮＯ）、後述するＳ２２１に進む。
【００７６】
Ｓ２１９において、第２の印刷ジョブに対する印刷処理が開始されていない場合は（Ｓ２１９のＮＯ）、第２の印刷ジョブをキャンセルしてから（Ｓ２２０）、後述するＳ２１１に進む。他方、第２の印刷ジョブに基づく印刷処理が開始されている場合は（Ｓ２１９のＹＥＳ）、そのままＳ２２１に進む。
【００７７】
図１８は、本実施形態に係るジョブリストの一例を示す概略図である。図中（Ａ）はＳ２２０において第２の印刷ジョブ（Ｊｏｂ  ＩＤ＝２）がキャンセルされる前の状態を示しており、図中（Ｂ）はキャンセルされた後の状態を示している。なお、以下の説明では、ジョブリスト中のＪｏｂ  ＩＤ＝１の印刷ジョブのことを単に「Ｊｏｂ  ＩＤ＝１」と称する。ジョブリスト中の他の印刷ジョブについても同様である。また、図中の「○」マーク及び「●」マークはＰＤＬデータの同一性を示している。すなわち、同一のマークが付された印刷ジョブのＰＤＬデータは互いに同一であることを意味している。
【００７８】
図中（Ａ）を参照すると、Ｊｏｂ  ＩＤ＝１の送信元は、現在処理中の印刷ジョブ（Ｊｏｂ  ＩＤ＝３）の送信元と同一であるため、Ｊｏｂ  ＩＤ＝１が「第１の印刷ジョブ」として扱われる。そのため、Ｓ２１７において、現在処理中の印刷ジョブの出力先として、Ｊｏｂ  ＩＤ＝１の出力先である「排紙スタッカー１」が選択される（図中（Ｂ）参照）。
【００７９】
また、Ｊｏｂ  ＩＤ＝２の送信元はＪｏｂ  ＩＤ＝１の送信元とは異なり、かつ、Ｊｏｂ  ＩＤ＝２の出力先はＪｏｂ  ＩＤ＝１の出力先と同一であるため、Ｊｏｂ  ＩＤ＝２が「第２の印刷ジョブ」として扱われる。そして、Ｊｏｂ  ＩＤ＝２は現在「印刷待ち」状態にあるため、Ｊｏｂ  ＩＤ＝２に基づく印刷処理は開始されていない。そのため、Ｓ２２０において、Ｊｏｂ  ＩＤ＝２がキャンセルされる（図中（Ｂ）参照）。
【００８０】
ここで、Ｊｏｂ  ＩＤ＝１とＪｏｂ  ＩＤ＝２の出力先が同一とされているのは、これらのＰＤＬデータの内容が同一だからである。すなわち、先に実行されたＪｏｂ  ＩＤ＝２のジョブ出力処理において、Ｊｏｂ  ＩＤ＝２と送信元が同一である印刷ジョブは存在しないが（Ｓ２１６のＮＯ）、Ｊｏｂ  ＩＤ＝２とＰＤＬデータの内容が同一である印刷ジョブ（Ｊｏｂ  ＩＤ＝１）が存在すると判定されている（Ｓ２２４のＹＥＳ）。よって、Ｓ２２５において、Ｊｏｂ  ＩＤ＝２の送信先として、Ｊｏｂ  ＩＤ＝１の送信先である「排紙スタッカー１」が選択されている。
【００８１】
再び図１６を参照すると、Ｓ２２１において、プリンターユニット２１は、選択スタッカー２２６のロックを解除するためのパスワードを発行する。その後、プリンターユニット２１は、現在処理中の印刷ジョブに基づく印刷物を生成し（Ｓ２２２）、それを選択スタッカー２２６に出力してから出力してから（Ｓ２２３）、図１５のＳ２１３に進む。
【００８２】
以上のように、本実施形態によると、出力済みの印刷ジョブ（第１の印刷ジョブ）及び現在処理中の印刷ジョブ（第２の印刷ジョブ）をそれぞれ構成するＰＤＬデータが互いに同一である場合に、出力済みの印刷ジョブ（第１の印刷ジョブ）の出力先として選択された排紙スタッカー２２６が現在処理中の印刷ジョブ（第２の印刷ジョブ）の出力先としてさらに選択される。よって、本実施形態によると、印刷ジョブに基づく印刷物の機密性を確保しつつ全ての排紙スタッカー２２６が使用不可となることを効果的に防止することができる。
【００８３】
また、本実施形態によると、出力済みの印刷ジョブ（第１の印刷ジョブ）と同一のホスト装置から新たな印刷ジョブ（第３の印刷ジョブ）が送信された場合に、出力済みの印刷ジョブ（第１の印刷ジョブ）の出力先として選択された排紙スタッカー２２６が新たな印刷ジョブ（第３の印刷ジョブ）の出力先としてさらに選択される。よって、本実施形態によると、同一のホスト装置から送信された印刷ジョブの出力先として同一の排紙スタッカー２２６が選択されるので、ユーザーの利便性を向上させるとともに、排紙スタッカー２２６の使用数を抑制することができる。
【００８４】
さらに、本実施形態によると、新たな印刷ジョブ（第３の印刷ジョブ）が送信されたときに、ジョブリスト内の他の印刷ジョブ（第２の印刷ジョブ）の処理が開始されていない場合は、他の印刷ジョブ（第２の印刷ジョブ）がキャンセルされ、新たな印刷ジョブ（第３の印刷ジョブ）の処理が開始される。よって、本実施形態によると、同一のホスト装置から送信された印刷ジョブが同一の排紙スタッカー２２６に連続して出力されることになるので、ユーザーの利便性をさらに向上させることができる。
【００８５】
本発明は、上記実施形態のみに限定されるものではなく、特許請求の範囲内において、種々改変することができる。例えば、本発明においてＰＤＬデータの同一性を判定する方法は、上記実施形態において例示したような巡回冗長検査（ＣＲＣ）及びハッシュ値による検査のみに限定されるものではない。
【００８６】
本実施形態の各実施形態に係る画像形成システムにおける各種処理を行う手段および方法は、専用のハードウェア回路、またはプログラムされたコンピューターのいずれによっても実現することが可能である。上記プログラムは、たとえば、フレキシブルディスクおよびＣＤ−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、本システムの一機能としてその装置のソフトウェアに組み込まれてもよい。
【符号の説明】
【００８７】
１          ＰＣ、
２          ＭＦＰ、
２１        プリンターユニット、
２１１      コントローラー、
２１１ａ    ＣＰＵ、
２１１ｂ    ＩＣカード、
２１１ｃ    ＮＶＲＡＭ、
２１１ｄ    プログラムＲＯＭ、
２１１ｅ    フォントＲＯＭ、
２１１ｆ    ＲＡＭ、
２１１ｇ    エンジンＩ／Ｆ、
２１１ｈ    パネルＩ／Ｆ、
２１１ｉ    ホストＩ／Ｆ、
２１１ｊ    ディスクＩ／Ｆ、
２１１ｋ    メールボックスＩ／Ｆ、
２１２      ディスク装置、
２１３      パネル装置、
２１４      エンジン、
２２        メールボックス、
２２１      ＲＡＭ、
２２２      プログラムＲＯＭ、
２２３      コントローラーＩ／Ｆ、
２２４      ＣＰＵ、
２２５      ロック機構コントローラー、
２２６      排紙スタッカー、
２２６ａ    開口部、
２２６ｂ    蓋、
２２６ｃ    ロック機構、
２２６ｃ１  信号線、
２２６ｃ２  ボルト、
２２６ｄ    格納部、
２２６ｅ    排紙スリット、
２２６ｆ    センサー、
Ｓ          画像形成システム。
【図１】
2014000695.tif 000003
【図２】
2014000695.tif 000004
【図３】
2014000695.tif 000005
【図４】
2014000695.tif 000006
【図５】
2014000695.tif 000007
【図６】
2014000695.tif 000008
【図７】
2014000695.tif 000009
【図８】
2014000695.tif 000010
【図９】
2014000695.tif 000011
【図１０】
2014000695.tif 000012
【図１１】
2014000695.tif 000013
【図１２】
2014000695.tif 000014
【図１３】
2014000695.tif 000015
【図１４】
2014000695.tif 000016
【図１５】
2014000695.tif 000017
【図１６】
2014000695.tif 000018
【図１７】
2014000695.tif 000019
【図１８】
2014000695.tif 000020